(57)【特許請求の範囲】
【請求項１】
内燃機関及びドッグ式トランスミッションを備えた車両に搭載されると共に、前記車両の車速に関する車速フィードバック制御を実行する車速制御機能を伴って、前記内燃機関の運転状態に関する内燃機関フィードバック制御を実行自在な内燃機関制御機能を有する制御部を備えた車両用電子制御装置において、
前記制御部は、前記車速フィードバック制御を停止した状態での前記内燃機関フィードバック制御において、前記車両の実加速度が０以下に抑制されることに起因して前記ドッグ式トランスミッションの係合関係が係合関係変化状態にあるときに、前記車両の実スロットル開度が前記ドッグ式トランスミッションのノーロードラインに対応するノーロードライン開度より小さい開度である場合には、前記実スロットル開度を前記ノーロードライン開度に向けて所定の度合いで増大することに引き続き前記ノーロードライン開度に保持する保持処理を実行することを特徴とする車両用電子制御装置。
【請求項２】
前記制御部は、前記車速フィードバック制御を停止した前記状態での前記内燃機関フィードバック制御において、前記実加速度が０以下に抑制されるその時系列変化特性に基づいて、前記ドッグ式トランスミッションの前記係合関係を、それが前記係合関係変化状態にあるものとして取り扱うことを特徴とする請求項１に記載の車両用電子制御装置。
【請求項３】
前記制御部は、前記車速フィードバック制御を停止した前記状態での前記内燃機関フィードバック制御において、前記実加速度が前記時系列変化特性で０よりも所定の程度で低く抑制される場合に、前記ドッグ式トランスミッションの前記係合関係を、それが前記係合関係変化状態にあるものとして取り扱うことを特徴とする請求項２に記載の車両用電子制御装置。
【請求項４】
前記制御部は、前記車速制御機能として、前記車速が目標車速となるようにオートクルーズフィードバック制御するオートクルーズ制御機能を有すると共に、前記オートクルーズフィードバック制御の実行中におけるキャンセルスイッチの操作に応じて、前記実加速度が０よりも低い所定の加速域内になり、かつ、更に復帰操作があったときに、前記車両の実スロットル開度が前記ノーロードライン開度より小さい開度である場合には、前記保持処理を実行することを特徴とする請求項３に記載の車両用電子制御装置。
【請求項５】
前記制御部は、前記実スロットル開度を前記ノーロードライン開度に向けて増大して前記ノーロードライン開度に復帰して保持する復帰保持時間が所定時間を経過するまでは、前記保持処理を実行することを特徴とする請求項４に記載の車両用電子制御装置。
【請求項６】
前記制御部は、前記実スロットル開度を前記ノーロードライン開度に向けて徐開することを特徴とする請求項４又は５に記載の車両用電子制御装置。
【発明の詳細な説明】
【技術分野】
【０００１】
本発明は、車両用電子制御装置に関し、特に、メインクラッチ及びドッグ式トランスミッションを順に介してエンジンの駆動力を駆動輪に伝達する鞍乗型車両の車速に関する車速フィードバック制御を実行する車速制御機能を有する車両用電子制御装置に関する。
【背景技術】
【０００２】
自動二輪車等の車両の中には、ドッグ式トランスミッションを備えるものがある。かかるドッグ式トランスミッションでは、運転者が、メインクラッチを操作することなく、ドッグ式トランスミッションのドッグ同士（ドッグ歯同士）が当接して内燃機関であるエンジンと駆動輪との一方が他方を駆動している状態で、変速を行うことができる。つまり、かかる構成によれば、運転者が、メインクラッチの操作を省略して、迅速に変速を行うことが可能となる。
【０００３】
ところが、エンジンと駆動輪との一方が他方を駆動している状態では、ドッグ式トランスミッションのドッグ同士の接触面に大きな押圧力が作用している。このため、運転者が変速のために変速操作をしてドッグ同士を引き離そうとしても、かかる接触面に押圧力に比例した大きな静止摩擦力が作用しているために、運転者の変速操作によりドッグ同士を引き離すことが困難となる傾向がある。
【０００４】
かかる状況下で、特許文献１は、自動二輪車の変速制御装置に関し、エンジンと駆動輪との一方が他方を駆動している状態において運転者の変速操作が検出された場合に、電子制御によってスロットル開度を変化させてエンジンの駆動力を変化させることにより、ドッグ同士の接触を一時的に解除する構成が開示されている。
【先行技術文献】
【特許文献】
【０００５】
【特許文献１】特許第４３９２７９４号公報
【発明の概要】
【発明が解決しようとする課題】
【０００６】
しかしながら、本発明者の検討によれば、特許文献１の構成は、エンジンと駆動輪との一方が他方を駆動している状態において変速操作が検出された場合に、電子制御によってスロットル開度を変化させてエンジンの駆動力を変化させることにより、ドッグ同士の接触を一時的に解除するものではあるが、所望の目標車速となるように車速をフィードバック制御するオートクルーズ制御機能を有する車両に適用するための具体的構成を何等開示や示唆しているものではない。
【０００７】
かかるオートクルーズ制御機能は、車両の速度（実車速）又は加速度（実加速度）をフィードバック制御に用いるもので、再開機能等の各種の機能を実現している。ここで、再開機能とは、オートクルーズフィードバック制御を実行している際に、オートクルーズコントロール用スイッチにおけるキャンセルスイッチの操作に応じて、オートクルーズフィードバック制御を一時中断して、エンジンＥの運転状態を制御することによりライダーの加速操作に追従するように実車速を制御し、その後のオートクルーズコントロール用スイッチにおける復帰スイッチの操作に応じて、オートクルーズフィードバック制御を再開する機能である。かかる再開機能では、典型的には、オートクルーズフィードバック制御再開時点におけるスロットル弁の目標開度（目標スロットル開度）として、オートクルーズフィードバック制御再開時点におけるスロットル弁の実開度（実スロットル開度）が適用される。
【０００８】
ここで、本発明者の更なる検討によれば、再開機能において、オートクルーズコントロール用スイッチにおける復帰スイッチの操作のタイミングでオートクルーズフィードバック制御を再開するときには、車両は典型的には減速状態にあるため、オートクルーズフィードバック制御再開時点における目標スロットル開度としてその時点における実スロットル開度を適用した場合には、車両を減速状態から加速状態にするために必要な時間が長くなってしまい、車両の運転者に違和感を与える可能性が考えられる。
【０００９】
本発明は、以上の検討を経てなされたものであり、内燃機関及びドッグ式トランスミッションを備えた車両に適切に搭載可能であると共に、簡便な構成で、車速フィードバック制御の再開時に、車両の挙動を安定させながら車両を速やかに加速させることが可能な車両用電子制御装置を提供することを目的とする。
【課題を解決するための手段】
【００１０】
以上の目的を達成するべく、本発明は、内燃機関及びドッグ式トランスミッションを備えた車両に搭載されると共に、前記車両の車速に関する車速フィードバック制御を実行する車速制御機能を伴って、前記内燃機関の運転状態に関する内燃機関フィードバック制御を実行自在な内燃機関制御機能を有する制御部を備えた車両用電子制御装置において、前記制御部は、前記車速フィードバック制御を停止した状態での前記内燃機関フィードバック制御において、前記車両の実加速度が０以下に抑制されることに起因して前記ドッグ式トランスミッションの係合関係が係合関係変化状態にあるときに、前記車両の実スロットル開度が前記ドッグ式トランスミッションのノーロードラインに対応するノーロードライン開度より小さい開度である場合には、前記実スロットル開度を前記ノーロードライン開度に向けて所定の度合いで増大することに引き続き前記ノーロードライン開度に保持する保持処理を実行することを第１の局面とする。
【００１１】
本発明は、第１の局面に加えて、前記車速フィードバック制御を停止した前記状態での前記内燃機関フィードバック制御において、前記実加速度が０以下に抑制されるその時系列変化特性に基づいて、前記ドッグ式トランスミッションの前記係合関係を、それが前記係合関係変化状態にあるものとして取り扱うことを第２の局面とする。
【００１２】
本発明は、第２の局面に加えて、前記制御部は、前記車速フィードバック制御を停止した前記状態での前記内燃機関フィードバック制御において、前記実加速度が前記時系列変化特性で０よりも所定の程度で低く抑制される場合に、前記ドッグ式トランスミッションの前記係合関係を、それが前記係合関係変化状態にあるものとして取り扱うことを第３の局面とする。
【００１３】
本発明は、第３の局面に加えて、前記制御部は、前記車速制御機能として、前記車速が目標車速となるようにオートクルーズフィードバック制御するオートクルーズ制御機能を有すると共に、前記オートクルーズフィードバック制御の実行中におけるキャンセルスイッチの操作に応じて、前記実加速度が０よりも低い所定の加速域内になり、かつ、更に復帰操作があったときに、前記車両の実スロットル開度が前記ノーロードライン開度より小さい開度である場合には、前記保持処理を実行することを第４の局面とする。
【００１４】
本発明は、第４の局面に加えて、前記制御部は、前記実スロットル開度を前記ノーロードライン開度に向けて増大して前記ノーロードライン開度に復帰して保持する復帰保持時間が所定時間を経過するまでは、前記保持処理を実行することを第５の局面とする。
【００１５】
本発明は、第４又は第５の局面に加えて、前記制御部は、前記実スロットル開度を前記ノーロードライン開度に向けて徐開することを第６の局面とする。
【発明の効果】
【００１６】
以上の本発明の第１の局面にかかる車両用電子制御装置によれば、制御部が、車速フィードバック制御を停止した状態での内燃機関フィードバック制御において、車両の実加速度が０以下に抑制されることに起因してドッグ式トランスミッションの係合関係が係合関係変化状態にあるときに、車両の実スロットル開度がドッグ式トランスミッションのノーロードラインに対応するノーロードライン開度より小さい開度である場合には、実スロットル開度をノーロードライン開度に向けて所定の度合いで増大することに引き続きノーロードライン開度に保持する保持処理を実行するものであるため、簡便な構成で、車速フィードバック制御の再開時に、車両の挙動を安定させながら車両を速やかに加速させることができる。
【００１７】
また、本発明の第２の局面にかかる車両用電子制御装置によれば、制御部が、車速フィードバック制御を停止した状態での内燃機関フィードバック制御において、実加速度が０以下に抑制されるその時系列変化特性に基づいて、ドッグ式トランスミッションの係合関係を、それが係合関係変化状態にあるものとして取り扱うものであるため、既存の車速センサを利用して、車速フィードバック制御の再開時に、車両の挙動を安定させながら車両を速やかに加速させることができる。
【００１８】
また、本発明の第３の局面にかかる車両用電子制御装置によれば、制御部が、車速フィードバック制御を停止した状態での内燃機関フィードバック制御において、実加速度が時系列変化特性で０よりも所定の程度で低く抑制される場合に、ドッグ式トランスミッションの係合関係を、それが係合関係変化状態にあるものとして取り扱うものであるため、既存の車速センサを利用して、車速フィードバック制御の再開時に、車両の挙動を確実に安定させながら車両を確実かつ速やかに加速させることができる。
【００１９】
また、本発明の第４の局面にかかる車両用電子制御装置によれば、制御部が、車速制御機能として、車速が目標車速となるようにオートクルーズフィードバック制御するオートクルーズ制御機能を有すると共に、オートクルーズフィードバック制御の実行中におけるキャンセルスイッチの操作に応じて、実加速度が０よりも低い所定の加速域内になり、かつ、更に復帰操作があったときに、車両の実スロットル開度がノーロードライン開度より小さい開度である場合には、保持処理を実行するものであるため、オートクルーズフィードバック制御のキャンセル後の減速状態からのオートクルーズフィードバック制御の再開時に、車両の挙動を確実に安定させながら車両を確実かつ速やかに加速させることができる。
【００２０】
また、本発明の第５の局面にかかる車両用電子制御装置によれば、制御部が、実スロットル開度をノーロードライン開度に向けて増大してノーロードライン開度に復帰して保持する復帰保持時間が所定時間を経過するまでは、保持処理を実行するものであるため、オートクルーズフィードバック制御のキャンセル後の減速状態からのオートクルーズフィードバック制御の再開時に、車両の挙動をより確実に安定させながら車両をより確実かつ速やかに加速させることができる。
【００２１】
また、本発明の第６の局面にかかる車両用電子制御装置によれば、制御部が、実スロットル開度をノーロードライン開度に向けて徐開するものであるため、オートクルーズフィードバック制御のキャンセル後の減速状態からのオートクルーズフィードバック制御の再開時に、ドッグ式トランスミッションのドッグ同士が不要に押圧して、車両に不要な加速力が発生することを確実に抑制することができる。
【図面の簡単な説明】
【００２２】
【図１】図１は、本発明の実施形態における車両用電子制御装置の構成を示すブロック図である。
【図２】図２は、本実施形態における車両用電子制御装置が実行する再開処理の流れを説明するためのタイミングチャートである。
【図３】図３は、本実施形態における車両用電子制御装置が実行する再開処理の流れを示すフローチャートである。
【発明を実施するための形態】
【００２３】
以下、図面を適宜参照して、本発明の実施形態における車両用電子制御装置につき、詳細に説明する。
【００２４】
〔車両用電子制御装置の構成〕
まず、図１を参照して、本実施形態における車両用電子制御装置の構成につき、詳細に説明する。
【００２５】
図１は、本実施形態における車両用電子制御装置の構成を示すブロック図である。
【００２６】
図１に示すように、本実施形態における車両用電子制御装置１は、典型的には、内燃機関であるエンジンＥ、並びにいずれも図示を省略するメインクラッチ及びドッグ式トランスミッションを備えた自動二輪車等の鞍乗型車両に搭載されている。
【００２７】
ドッグ式トランスミッションは、運転者、つまり自動二輪車等の鞍乗型車両の場合にはライダーが、メインクラッチを操作することなく、ドッグ式トランスミッションのドッグ同士（ドッグ歯同士）が当接してエンジンＥと駆動輪との一方が他方を駆動している状態で、ライダーが変速操作により変速を行うことを可能とする変速機である。
【００２８】
かかるドッグ式トランスミッションの係合関係は、駆動状態、被駆動状態、及び遷移状態の３つの状態を取り得る。ここで、駆動状態とは、エンジンＥ側のドッグが駆動輪側のドッグを駆動する状態を意味する。被駆動状態とは、駆動輪側のドッグがエンジンＥ側のドッグを駆動する状態を意味する。また、遷移状態とは、駆動状態及び被駆動状態の間にある状態であって、エンジンＥ側のドッグと駆動輪側のドッグとが離間している状態、及びエンジンＥ側のドッグと駆動輪側のドッグとが単に当接しているのみで、エンジンＥ側のドッグが駆動輪側のドッグを駆動せず、かつ駆動輪側のドッグがエンジンＥ側のドッグを駆動しない状態を意味する。ドッグ式トランスミッションの係合関係が、このような駆動状態、被駆動状態、及び遷移状態の３つの状態において、ある状態からそれとは別の状態に変化することを、ドッグ式トランスミッションの係合関係変化状態とする。特に、車両の走行状態が定速状態又は加速状態から減速状態になった場合には、ドッグ式トランスミッションの係合関係は、駆動状態から遷移状態又は被駆動状態に変化する係合関係変化状態にあることになる。
【００２９】
ここで、エンジンＥの運転状態が、エンジンＥの駆動力がエンジンＥにおける抵抗力（エンジンＥにおける機械的な摩擦力や潤滑油の粘弾性力等）と釣り合った状態にあるときには、ドッグ式トランスミッションの係合関係は、典型的には、エンジンＥ側のドッグが駆動輪側のドッグに単に又は緩やかに当接しているのみで、エンジンＥ側のドッグが駆動輪側のドッグを駆動していない状態にあり、その結果として車両がエンジンＥの駆動力で加速されることはなく、この際のエンジンＥの運転状態が、ノーロードラインに対応する。かかるノーロードラインは、エンジンＥにおける抵抗力と釣り合ったエンジンＥの駆動力を発生させるための実スロットル（ＴＨ）開度に応じたエンジン回転数の特性線として規定されるものであり、かかるノーロードラインを与える実ＴＨ開度を、ノーロードライン開度と呼ぶこととする。また、詳しくは、エンジンＥに対する抵抗力は環境変化や経時変化等で変動するものであるため、エンジンＥの運転状態がノーロードラインにある場合であっても、エンジンＥに対する抵抗力が小さくなるように変動した場合には、ドッグ同士が切り離し可能なレベルでエンジンＥ側のドッグが駆動輪側のドッグを緩やかに押圧する状態となり、エンジンＥに対する抵抗力が大きくなるように変動した場合には、ドッグ同士が近接したレベルでエンジンＥ側のドッグが駆動輪側のドッグから離間する状態となるが、特に前者の場合であっても、エンジンＥ側のドッグは駆動輪側のドッグを緩やかに押圧しているのみでそれを駆動することはなく、車両がエンジンＥの駆動力で加速されることはないものである。
【００３０】
つまり、ノーロードライン開度に一致するように実ＴＨ開度を調整してエンジンＥの運転状態を一旦ノーロードラインに設定することにより、その後にＴＨ開度が増加される際には、ドッグ式トランスミッションの係合関係は、エンジンＥ側のドッグが駆動輪側のドッグを駆動する駆動状態に直ちに入ることが可能となる。また、かかるノーロードライン開度は、ノーロードラインに対応させたデータとして、車両用電子制御装置１の図示を省略するメモリ中に記憶されている。
【００３１】
車両用電子制御装置１は、いずれも図示を省略するＣＰＵ（Ｃｅｎｔｒａｌ  Ｐｒｏｃｅｓｓｉｎｇ  Ｕｎｉｔ）やメモリ等を有するマイクロコンピュータ等の演算処理装置であり、典型的にはＥＣＵ（Ｅｌｅｃｔｒｏｎｉｃ  Ｃｏｎｔｒｏｌ  Ｕｎｉｔ）である。車両用電子制御装置１は、メモリから必要な制御プログラム及び制御データを読み出して、車両の実車速に関するフィードバック制御、つまり車速フィードバック制御であるオートクルーズフィードバック制御を実行するオートクルーズ制御（以下、オートクルーズコントロールと記す）を伴うエンジンＥの運転状態の制御用等の制御プログラムを実行する。
【００３２】
かかるオートクルーズコントロールに関連して、車両用電子制御装置１は、追い越し機能、目標車速調整機能、及び再開機能を発揮する。追い越し機能とは、オートクルーズコントロールを実行している際に、自車両の前方を走行している車両を追い抜くためにライダーが加速操作を行うことに応じて、オートクルーズコントロールを一時中断して、エンジンＥの運転状態を制御することによりライダーの加速操作に追従するように実車速を制御し、かかる加速操作が完了することに応じて、オートクルーズコントロールを再開する機能である。目標車速調整機能とは、オートクルーズコントロールを実行している際に、オートクルーズコントロール用スイッチにおける加速スイッチや減速スイッチの操作に応じて、実車速の調整を開始し、かかるスイッチの操作が終了することに応じて、実車速の調整を終了する機能である。また、再開機能とは、オートクルーズコントロールを実行している際に、オートクルーズコントロール用スイッチにおけるキャンセルスイッチの操作に応じて、オートクルーズコントロールを一時中断して、エンジンＥの運転状態を制御することによりライダーによるアクセル操作部材の操作に追従するように実車速を制御し、その後のオートクルーズコントロール用スイッチにおける復帰スイッチの操作に応じて、オートクルーズコントロールを再開する機能である。
【００３３】
具体的には、車両用電子制御装置１は、アクセル開度算出部２、吸気圧算出部３、エンジン温度算出部４、車速算出部５、オートクルーズコントロールスイッチ読込部６、エンジン回転数算出部７、ＴＨ開度算出部８、燃料点火制御部９、ライダー要求ＴＨ開度算出部１０、加速度算出部１１、オートクルーズ算出部１２、目標ＴＨ開度設定部１３、偏差算出部１４、及びスロットル制御部１５を備えている。これらは、典型的には、車両用電子制御装置１内において、ＣＰＵの機能ブロックとして実現されるが、電気回路として実現されてもよい。
【００３４】
アクセル開度算出部２は、車両におけるライダーのアクセル操作、具体的にはいずれも図示を省略するアクセルグリップ等のアクセル操作部材の操作量を検出するアクセル開度センサからの出力信号に基づいて、アクセル開度を算出する。このようにアクセル開度算出部２が算出したアクセル開度は、燃料点火制御部９、ライダー要求ＴＨ開度算出部１０、及びオートクルーズ算出部１２で利用される。
【００３５】
吸気圧算出部３は、図示を省略する吸気圧センサからの出力信号に基づいて、吸入空気の圧力（吸気圧）を算出する。このように吸気圧算出部３が算出した吸気圧は、燃料点火制御部９及びライダー要求ＴＨ開度算出部１０で利用される。
【００３６】
エンジン温度算出部４は、図示を省略するエンジン温度センサからの出力信号に基づいて、エンジンＥの温度を算出する。このようにエンジン温度算出部４が算出したエンジンＥの温度は、燃料点火制御部９及びライダー要求ＴＨ開度算出部１０で利用される。
【００３７】
車速算出部５は、図示を省略する車速センサからの出力信号に基づいて、車両の実車速を算出する。このように車速算出部５が算出した実車速は、燃料点火制御部９、ライダー要求ＴＨ開度算出部１０、加速度算出部１１、及びオートクルーズ算出部１２で利用される。なお、実車速は、厳密にはベクトル量である速度であるが、車両が前進することを前提としてスカラー量で表現している。
【００３８】
オートクルーズコントロールスイッチ読込部６は、オートクルーズコントロールのメインスイッチ（ＭＡＩＮ−ＳＷ）２１ａ、設定／減速スイッチ（ＳＥＴ／ＤＥＣ−ＳＷ）２１ｂ、再開／加速スイッチ（ＲＥＳ／ＡＣＣ−ＳＷ）２１ｃ、及びキャンセルスイッチ（キャンセル−ＳＷ）２１ｄの操作状態を検出する。このようにオートクルーズコントロールスイッチ読込部６が検出したスイッチの操作状態は、オートクルーズ算出部１２で利用される。
【００３９】
エンジン回転数算出部７は、クランクセンサ２２からの出力信号に基づいて、エンジンＥの回転数を算出する。このようにエンジン回転数算出部７が算出したエンジンＥの回転数は、燃料点火制御部９、ライダー要求ＴＨ開度算出部１０、及びオートクルーズ算出部１２で利用される。
【００４０】
ＴＨ開度算出部８は、ＴＨ開度センサ２３ａ、２３ｂからの出力信号に基づいて、エンジンＥの吸気系に設けられたスロットル弁Ｔの開度（実ＴＨ開度）を算出する。このようにＴＨ開度算出部８が算出した実ＴＨ開度は、燃料点火制御部９、ライダー要求ＴＨ開度算出部１０、及びオートクルーズ算出部１２で利用される。なお、ＴＨ開度センサ２３ａ、２３ｂは、共に同一のスロットル弁Ｔに適用され、実ＴＨ開度に応じた信号を各々出力するものであり、その一方がスロットル弁Ｔの開度のフィードバック制御に用いられ、他方がそのフィードバック量の妥当性確認の参照用に用いられる。
【００４１】
燃料点火制御部９は、アクセル開度算出部２、吸気圧算出部３、エンジン温度算出部４、車速算出部５、エンジン回転数算出部７、及びＴＨ開度算出部８からの各々の算出値に基づいて、燃料噴射システムＦＩ及び点火システムＩＧを制御することによりエンジンＥへの燃料供給動作及びエンジンＥの点火動作を制御する。
【００４２】
ライダー要求ＴＨ開度算出部１０は、アクセル開度算出部２、吸気圧算出部３、エンジン温度算出部４、車速算出部５、エンジン回転数算出部７、及びＴＨ開度算出部８からの各々の算出値に基づいて、車両のライダーが要求しているスロットル弁Ｔの目標開度（ライダー要求ＴＨ開度）を算出する。このようにライダー要求ＴＨ開度算出部１０が算出したライダー要求ＴＨ開度は、目標ＴＨ開度設定部１３で利用される。
【００４３】
加速度算出部１１は、車速算出部５が算出した実車速に基づいて、車両の実加速度を算出する。このように加速度算出部１１が算出した実加速度は、オートクルーズ算出部１２で利用される。
【００４４】
オートクルーズ算出部１２は、アクセル開度算出部２、車速算出部５、オートクルーズコントロールスイッチ読込部６、エンジン回転数算出部７、ＴＨ開度算出部８、及び加速度算出部１１が算出した各々の算出値及び検出状態に基づいて、オートクルーズコントロールにおける目標車速に対応したスロットル弁Ｔの目標開度（オートクルーズコントロール目標開度）を算出すると共に、オートクルーズコントロールの実行の有無等を示す実施情報を設定する。併せて、オートクルーズ算出部１２は、加速度算出部１１からの算出値に基づいて、実加速度と０より小さい所定の加速度閾値との関係を判定することにより、ドッグ式トランスミッションの係合関係が係合関係変化状態にあるか否かを判定する。ここで、オートクルーズ算出部１２は、ドッグ式トランスミッションの係合関係が係合関係変化状態にあると判定した場合に、ＴＨ開度算出部８が算出した実ＴＨ開度とノーロードライン開度との関係を判定し、実ＴＨ開度がノーロードライン開度よりも小さい場合には、ノーロードライン開度をオートクルーズコントロール目標開度として設定して算出する。このようにオートクルーズコントロール１２が算出したオートクルーズコントロール目標開度、及びオートクルーズコントロール１２が設定したオートクルーズコントロールの実施情報は、目標ＴＨ開度設定部１３で利用される。
【００４５】
目標ＴＨ開度設定部１３は、ライダー要求ＴＨ開度算出部１０、及びオートクルーズ算出部１２の各々の算出値、及びオートクルーズコントロールの実施情報に基づいて、スロットル弁Ｔの目標開度（目標ＴＨ開度）を設定する。このように目標ＴＨ開度設定部１３が選択した目標ＴＨ開度は、偏差算出部１４で利用される。
【００４６】
偏差算出部１４は、ＴＨ開度算出部８が算出した実ＴＨ開度と、目標ＴＨ開度設定部１３が選択した目標ＴＨ開度と、の偏差を算出する。このように偏差算出部１４が算出した偏差は、スロットル制御部１５で利用される。
【００４７】
スロットル制御部１５は、偏差算出部１４が算出した偏差に基づいて、実ＴＨ開度が目標ＴＨ開度に合致するようにスロットル弁Ｔを駆動するモータＭのデューティ比を制御する。
【００４８】
このような構成を有する車両用電子制御装置１は、以下に示す再開処理を実行することにより、その再開機能においてオートクルーズコントロール用スイッチにおける復帰スイッチが操作されたタイミングでの減速状態からオートクルーズコントロールを再開するとき、車両を減速状態から加速状態にするために必要な時間が長くなってしまい、車両の運転者に違和感を与えることを抑制する。以下、更に図２及び図３も参照して、本実施形態における車両用電子制御装置１が実行するオートクルーズコントロールの再開処理の流れについて説明する。
【００４９】
〔オートクルーズコントロールの再開処理〕
図２は、本実施形態における車両用電子制御装置が実行する再開処理の流れを説明するためのタイミングチャートである。また、図３は、本実施形態における車両用電子制御装置が実行する再開処理の流れを示すフローチャートである。なお、図２中では、実車速、実加速度及び実ＴＨ開度を各々実線で示し、目標車速及びライダー要求開度を鎖線で示している。
【００５０】
図３のフローチャートに示すように、本実施形態における再開処理は、車両用電子制御装置１の再開機能が開始されたタイミング、つまりオートクルーズコントロールの実行中にクルーズコントロールのキャンセルスイッチ２１ｄが操作されたタイミング（図２に示す時刻ｔ＝１）で開始となり、再開処理はステップＳ１の処理に進む。かかる再開処理は、車両用電子制御装置１が、再開機能を実行している間、所定の制御周期毎に繰り返し実行する。
【００５１】
ステップＳ１の処理では、オートクルーズ算出部１２が、目標ＴＨ開度への実スロットル開度のフィードバック制御が開始済みであるか否かを判定する。判定の結果、フィードバック制御が開始済みである場合には（図２に示す時刻ｔ＝ｔ３以降の期間）、オートクルーズ算出部１２は、再開処理をステップＳ２２の処理に進める。一方、フィードバック制御が開始済みでない場合には、オートクルーズ算出部１２は、再開処理をステップＳ２の処理に進める。なお、かかるオートクルーズ算出部１２による判定は、オートクルーズコントロールの実行の有無等を示す実施情報を参照することにより実行され得て、オートクルーズコントロールの実行が無しである場合には、目標ＴＨ開度への実スロットル開度のフィードバック制御が開始済みであり、オートクルーズコントロールの実行が有りである場合には、目標ＴＨ開度への実スロットル開度のフィードバック制御が開始済みではない、と判定することができる。
【００５２】
ステップＳ２の処理では、オートクルーズ算出部１２が、オートクルーズコントロールスイッチ読込部６が検出した再開／加速スイッチ２１ｃの操作状態に基づいて、再開／加速スイッチ２１ｃが操作されたか否かを判定することによって、オートクルーズコントロールの再開操作があったか否かを判定する。オートクルーズコントロールの再開操作があった場合（図２に示す時刻ｔ＝ｔ２）、オートクルーズ算出部１２は、再開処理をステップＳ３の処理に進める。一方、オートクルーズコントロールの再開操作がない場合には、オートクルーズ算出部１２は、再開処理をステップＳ１２の処理に進める。
【００５３】
ステップＳ３の処理では、オートクルーズ算出部１２が、車速算出部５が算出した実車速が目標車速以下であるか否かを判定する。判定の結果、実車速が目標車速以下である場合には、オートクルーズ算出部１２は、再開処理をステップＳ４の処理に進める。一方、実車速が目標車速より大きい場合には、オートクルーズ算出部１２は、再開処理をステップＳ２２の処理に進める。なお、目標車速としては、オートクルーズ算出部１２がオートクルーズコントロールの再開操作があった際の実車速を目標車速として設定したものが用いられる。
【００５４】
ステップＳ４の処理では、オートクルーズ算出部１２が、メモリ中のデータを参照して、前回の再開処理において目標ＴＨ開度としてノーロードライン開度を適用した履歴が記録されているか否かを判定する。判定の結果、目標ＴＨ開度としてノーロードライン開度を適用した履歴が記録されている場合には、オートクルーズ算出部１２は、再開処理をステップＳ１８の処理に進める。一方、目標ＴＨ開度としてノーロードライン開度を適用した履歴が記録されていない場合には、オートクルーズ算出部１２は、再開処理をステップＳ５の処理に進める。
【００５５】
ステップＳ５の処理では、オートクルーズ算出部１２が、加速度算出部１１が算出した加速度が所定の加速度閾値以下になっているか否かを判定する。判定の結果、車両の加速度が加速度閾値以下である場合には、オートクルーズ算出部１２は、ドッグ式トランスミッションの係合関係が係合関係変化状態になっていると判定し、再開処理をステップＳ６の処理に進める。一方、車両の加速度が加速度閾値より大きい場合には、オートクルーズ算出部１２は、ドッグ式トランスミッションの係合関係が係合関係変化状態になっていないと判定し、再開処理をステップＳ１６の処理に進める。なお、所定の加速度閾値は、オートクルーズ算出部１２が０以下の値としてメモリ中に記憶されたデータを参照することにより用いられる。
【００５６】
ステップＳ６の処理では、オートクルーズ算出部１２が、スロットル開度算出部８が算出した実ＴＨ開度がノーロードライン開度以下になっているか否かを判定する。判定の結果、実ＴＨ開度がノーロードライン開度以下になっている場合には、オートクルーズ算出部１２は、再開処理をステップＳ７の処理に進める。一方、実ＴＨ開度がノーロードライン開度より大きい場合には、オートクルーズ算出部１２は、再開処理をステップＳ１６の処理に進める。なお、ノーロードライン開度は、オートクルーズ算出部１２がメモリ中に記憶されたデータを参照することにより用いられる。
【００５７】
ステップＳ７の処理では、目標ＴＨ開度選択部１３が、オートクルーズ算出部１２がオートクルーズコントロール目標開度として算出したノーロードライン開度を目標ＴＨ開度として選択して設定する。これにより、ステップＳ７の処理は完了し、再開処理はステップＳ８の処理に進む。
【００５８】
ステップＳ８の処理では、目標ＴＨ開度設定部１３が、目標ＴＨ開度としてノーロードライン開度を適用した履歴をメモリに記録する。これにより、ステップＳ８の処理は完了し、再開処理はステップＳ９の処理に進む。
【００５９】
ステップＳ９の処理では、目標ＴＨ開度設定部１３が、目標ＴＨ開度としてノーロードライン開度を適用する所定の適用時間ΔＴ１を設定する。これにより、ステップＳ９の処理は完了し、再開処理はステップＳ１０の処理に進む。なお、所定の適用時間ΔＴ１は、目標ＴＨ開度設定部１３がメモリ中に記憶されたデータを参照することにより用いられる。
【００６０】
ステップＳ１０の処理では、目標ＴＨ開度設定部１３が、目標ＴＨ開度としてノーロードライン開度を適用した時間の計時（カウント）処理を開始する。これにより、ステップＳ１０の処理は完了し、再開処理はステップＳ１１の処理に進む。
【００６１】
ステップＳ１１の処理では、偏差算出部１４が、ＴＨ開度算出部８が算出した実ＴＨ開度と、目標ＴＨ開度設定部１３が設定したノーロードライン開度である目標ＴＨ開度と、の偏差を算出し、スロットル制御部１５が、偏差算出部１４が算出した偏差に基づいて、実ＴＨ開度がノーロードライン開度に合致するようにフィードバック制御を開始し、実ＴＨ開度をノーロードライン開度に向けて所定の度合いで増大し始める（図２に示す時刻ｔ＝ｔ２）。これにより、ステップＳ１１の処理は完了し、今回の一連の再開処理は終了する。なお、図２中では、スロットル制御部１５が、実ＴＨ開度をノーロードライン開度に向けて急開している例を示すが、ドッグ式トランスミッションのドッグ同士の不要な押圧を抑制する観点からは、実ＴＨ開度をノーロードライン開度に向けて徐開することが好ましい。
【００６２】
ステップＳ１２の処理では、目標ＴＨ開度設定部１３が、ライダー要求ＴＨ開度算出部１０が算出したライダー要求ＴＨ開度を目標ＴＨ開度として選択して設定する。これにより、ステップＳ１２の処理は完了し、再開処理はステップＳ１３の処理に進む。
【００６３】
ステップＳ１３の処理では、目標ＴＨ開度設定部１３が、目標ＴＨ開度としてノーロードライン開度を適用した履歴を、メモリからクリアする。これにより、ステップＳ１３の処理は完了し、再開処理はステップＳ１４の処理に進む。
【００６４】
ステップＳ１４の処理では、目標ＴＨ開度設定部１３が、目標ＴＨ開度としてノーロードライン開度を適用した時間の記録を、メモリからクリアする。これにより、ステップＳ１４の処理は完了し、再開処理はステップＳ１５の処理に進む。
【００６５】
ステップＳ１５の処理では、偏差算出部１４が、ＴＨ開度算出部８が算出した実ＴＨ開度と、目標ＴＨ開度設定部１３が設定したライダー要求ＴＨ開度である目標ＴＨ開度と、の偏差を算出し、スロットル制御部１５が、偏差算出部１４が算出した偏差に基づいて、実ＴＨ開度がライダー要求ＴＨ開度に合致するようにフィードバック制御する（図２に示す時刻ｔ＝ｔ１より前の期間）。この際には、目標ＴＨ開度設定部１３は、オートクルーズ算出部１２が算出したオートクルーズコントロール目標開度を目標ＴＨ開度として選択しないため、オートクルーズフィードバック制御は実行されずに停止状態にある。これにより、ステップＳ１５の処理は完了し、今回の一連の再開処理は終了する。
【００６６】
ステップＳ１６の処理では、目標ＴＨ開度設定部１３が、オートクルーズ算出部１２が算出したオートクルーズコントロール目標開度を目標ＴＨ開度として選択して設定する。これにより、ステップＳ１６の処理は完了し、再開処理はステップＳ１７の処理に進む。
【００６７】
ステップＳ１７の処理では、偏差算出部１４が、ＴＨ開度算出部８が算出した実ＴＨ開度と、目標ＴＨ開度設定部１３が設定したオートクルーズコントロール目標開度である目標ＴＨ開度と、の偏差を算出し、スロットル制御部１５が、偏差算出部１４が算出した偏差に基づいて、実ＴＨ開度がオートクルーズコントロール目標開度に合致するようにフィードバック制御する（図２に示す時刻ｔ＝ｔ４から時刻ｔ＝ｔ５までの期間）。これにより、ステップＳ１７の処理は完了し、今回の一連の再開処理は終了する。
【００６８】
ステップＳ１８の処理では、目標ＴＨ開度設定部１３が、目標ＴＨ開度としてノーロードライン開度を適用してからの時間がステップＳ９の処理において設定された所定の適用時間ΔＴ１を経過したか否かを判定する。判定の結果、所定の適用時間ΔＴ１を経過している場合には（図２に示す時刻ｔ＝ｔ３以降の期間）、目標ＴＨ開度設定部１３は、再開処理をステップＳ２２の処理に進める。一方、所定の適用時間ΔＴ１を経過していない場合には、目標ＴＨ開度設定部１３は、再開処理をステップＳ１９の処理に進める。
【００６９】
ステップＳ１９の処理では、目標ＴＨ開度設定部１３が、オートクルーズ算出部１２がオートクルーズコントロール目標開度として算出したノーロードライン開度を目標ＴＨ開度として選択した状態を維持する。これにより、ステップＳ１９の処理は完了し、再開処理はステップＳ２０の処理に進む。
【００７０】
ステップＳ２０の処理では、目標ＴＨ開度設定部１３が、目標ＴＨ開度としてノーロードライン開度を適用した時間の計時（カウント）処理を継続する。これにより、ステップＳ２０の処理は完了し、再開処理はステップＳ２１の処理に進む。
【００７１】
ステップＳ２１の処理では、偏差算出部１４が、ＴＨ開度算出部８が算出した実ＴＨ開度と、目標ＴＨ開度設定部１３が設定したノーロードライン開度である目標ＴＨ開度と、の偏差を算出し、スロットル制御部１５が、偏差算出部１４が算出した偏差に基づいて、実ＴＨ開度がノーロードライン開度に合致するようにフィードバック制御し、実ＴＨ開度をノーロードライン開度に保持する保持処理を継続する（図２に示す時刻ｔ＝ｔ２から時刻ｔ＝３までの期間）。この結果、図２に示すように、実ＴＨ開度は、所定のノーロード保持時間ΔＴ１の間でノーロードライン開度に保持される。これにより、ステップＳ２１の処理は完了し今回の一連の再開処理は終了する。
【００７２】
ステップＳ２２の処理では、目標ＴＨ開度設定部１３が、オートクルーズ算出部１２が算出したオートクルーズコントロール目標開度を目標ＴＨ開度として選択して設定する。これにより、ステップＳ２２の処理は完了し、再開処理はステップＳ２３の処理に進む。
【００７３】
ステップＳ２３の処理では、目標ＴＨ開度設定部１３が、目標ＴＨ開度としてノーロードライン開度を適用した履歴を、メモリからクリアする。これにより、ステップＳ２３の処理は完了し、再開処理はステップＳ２４の処理に進む。
【００７４】
ステップＳ２４の処理では、目標ＴＨ開度設定部１３が、目標ＴＨ開度としてノーロードライン開度を適用した時間の記録を、メモリからクリアする。これにより、ステップＳ２４の処理は完了し、再開処理はステップＳ２５の処理に進む。
【００７５】
ステップＳ２５の処理では、偏差算出部１４が、ＴＨ開度算出部８が算出した実ＴＨ開度と、目標ＴＨ開度設定部１３が設定したオートクルーズコントロール目標開度である目標ＴＨ開度と、の偏差を算出し、スロットル制御部１５が、偏差算出部１４が算出した偏差に基づいて、実ＴＨ開度がオートクルーズコントロール目標開度に合致するようにフィードバック制御する（図２に示す時刻ｔ＝ｔ３以降の期間）。これにより、ステップＳ２５の処理は完了し、今回の一連の再開処理は終了する。
【００７６】
以上の説明から明らかなように、本実施形態における車両用電子制御装置１では、車速フィードバック制御を停止した状態での内燃機関フィードバック制御において、車両の実加速度が０以下に抑制されることに起因してドッグ式トランスミッションの係合関係が係合関係変化状態にあるときに、車両の実スロットル開度がドッグ式トランスミッションのノーロードラインに対応するノーロードライン開度より小さい開度である場合には、実スロットル開度をノーロードライン開度に向けて所定の度合いで増大することに引き続きノーロードライン開度に保持する保持処理を実行するものであるため、簡便な構成で、車速フィードバック制御の再開時に、車両の挙動を安定させながら車両を速やかに加速させることができる。
【００７７】
なお、本発明は、部材の種類、形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００７８】
以上のように、本発明は、内燃機関及びドッグ式トランスミッションを備えた車両に適切に搭載可能であると共に、簡便な構成で、車速フィードバック制御の再開時に、車両の挙動を安定させながら車両を速やかに加速させることが可能な車両用電子制御装置を提供することができるものであり、その汎用普遍的な性格から自動二輪車等の車両用電子制御装置に広く適用され得るものと期待される。
【符号の説明】
【００７９】
１…車両用電子制御装置
２…アクセル開度算出部
３…吸気圧算出部
４…エンジン温度算出部
５…車速算出部
６…オートクルーズコントロールスイッチ読込部
７…エンジン回転数算出部
８…ＴＨ開度算出部
９…燃料点火制御部
１０…ライダー要求ＴＨ開度算出部
１１…加速度算出部
１２…オートクルーズ算出部
１３…目標ＴＨ開度設定部
１４…偏差算出部
１５…スロットル制御部
２１ａ…メインスイッチ（ＭＡＩＮ−ＳＷ）
２１ｂ…設定／減速スイッチ（ＳＥＴ／ＤＥＣ−ＳＷ）
２１ｃ…再開／加速スイッチ（ＲＥＳ／ＡＣＣ−ＳＷ）
２１ｄ…キャンセルスイッチ（キャンセル−ＳＷ）
２２…クランクセンサ
２３ａ、２３ｂ…ＴＨ開度センサ
Ｅ…エンジン
Ｍ…モータ
Ｔ…スロットル弁
【図１】
0006512926.tif 000002
【図２】
0006512926.tif 000003
【図３】
0006512926.tif 000004